(57)【要約】      （修正有）【課題】遠心応力に対し強度を保ちながら、軽量化が可能な永久磁石型の回転電機を提供する。【解決手段】回転電機は、固定子と、回転子鉄心２４と、回転子鉄心に埋設された複数の永久磁石２６と、を有する回転子１４と、を備えている。磁極中心軸ｄと電気的に直交する軸をｑ軸、磁極中心軸と回転子鉄心の外周面と埋め込み孔３４の外周側長辺３５ｂ上に延在し磁極中心軸および回転子鉄心の外周面と交差する第１仮想直線Ｌ１とで囲まれた領域の面積をＡ１、磁極中心軸と回転子鉄心の外周面と埋め込み孔の内周側長辺３５ａ上に延在し磁極中心軸および回転子鉄心の外周面と交差する第２仮想直線Ｌ２と空隙孔３０の第１辺３０ａ上に延在し磁極中心軸およびｑ軸と交差する第３仮想直線Ｌ３とで囲まれた領域の面積をＡ２、第１ブリッジ部Ｂ１の半値幅をＷ１、第２ブリッジ部Ｂ２の半値幅をＷ２、とした場合、Ｗ２／Ｗ１≦（Ａ１+Ａ２）／Ａ１の関係を満たす。【選択図】図２
2019165593.tif 000002
【特許請求の範囲】
【請求項１】
固定子鉄心および電機子巻線を有する固定子と、
中心軸線の回りで回転自在なシャフトと、前記シャフトに同軸的に固定され、円周方向に並ぶ複数の磁極を有する回転子鉄心と、前記回転子鉄心に埋設され前記磁極ごとに配置された複数の永久磁石と、を有する回転子と、を備え、
前記回転子鉄心は、それぞれ前記中心軸線および前記磁極の中心を通り前記中心軸線に対して放射方向に延びる複数の磁極中心軸と、各磁極において、前記磁極中心軸の両側に設けられ、それぞれ前記永久磁石が装填された２つの埋め込み孔と、それぞれ隣合う前記磁極の間に設けられ、間隔を置いて前記埋め込み孔に対向する複数の空隙孔と、前記磁極中心軸上で、前記２つの埋め込み孔の間に規定された第１ブリッジ部と、前記磁極中心軸上で、隣り合う２つの空隙孔の間に規定された第２ブリッジ部と、を有し、
前記各磁極において、前記２つの埋め込み孔および２つの永久磁石は、前記磁極中心軸に隣接する内周側端と前記回転子鉄心の外周面に隣接する外周側端とをそれぞれ有し、前記磁極中心軸に対して線対称に配置され、前記内周側端から外周側端に向かうに従って、前記磁極中心軸からの距離が徐々に広がるように配置され、
前記埋め込み孔の各々は、互いに平行に対向する外周側長辺および内周側長辺で規定され前記永久磁石が装填された磁石装填領域と、前記永久磁石の内周側端から前記磁極中心軸に向かって拡がる内周側空隙と、前記永久磁石の外周側端から前記外周面に向かって拡がる外周側空隙と、を含み、
前記空隙孔の各々は、それぞれ隣り合う磁極に設けられた前記埋め込み孔の前記内周側長辺と間隔を置いて対向する第１辺および第２辺と、それぞれ隣り合う磁極の前記磁極中心軸と隙間を置いて対向する第３辺および第４辺と、により規定され、
前記各磁極において、前記磁極中心軸と電気的に直交する軸をｑ軸、  
前記磁極中心軸と、前記回転子鉄心の外周面と、前記埋め込み孔の外周側長辺上に延在し前記磁極中心軸および回転子鉄心の外周面と交差する第１仮想直線と、で囲まれた領域の面積をＡ１、  
前記磁極中心軸と、前記回転子鉄心の外周面と、前記埋め込み孔の内周側長辺上に延在し前記磁極中心軸および回転子鉄心の外周面と交差する第２仮想直線と、前記空隙孔の前記第１辺上に延在し前記磁極中心軸および前記ｑ軸と交差する第３仮想直線と、で囲まれた領域の面積をＡ２、  
前記第１ブリッジ部の半値幅をＷ１、  
前記第２ブリッジ部の半値幅をＷ２、とした場合、
前記回転子鉄心は、
Ｗ２／Ｗ１ ≦ （Ａ１+Ａ２）／Ａ１
の関係を満たして形成されている回転電機。
【請求項２】
前記空隙孔の前記第１辺および第２辺は、それぞれ前記埋め込み孔の内周側長辺とほぼ平行に延在し、前記ｑ軸上で互いに交差している請求項１に記載の回転電機。
【請求項３】
前記回転子鉄心は、前記シャフトが嵌挿された内孔を有し、
前記空隙孔は、前記回転子鉄心の内孔と隙間を置いて対向しているとともに前記第３辺および第４辺に繋がった第５辺を有する５角形に形成されている請求項１又は２に記載の回転電機。
【請求項４】
半値幅Ｗ２は、半値幅Ｗ１よりも大きい請求項１から３のいずれか１項に記載の回転電機。
【発明の詳細な説明】
【技術分野】
【０００１】
この発明の実施形態は、回転子に永久磁石が設けられた回転電機に関する。
【背景技術】
【０００２】
近年、永久磁石の目覚しい研究開発により、高磁気エネルギー積の永久磁石が開発され、このような永久磁石を用いた永久磁石型の回転電機が電車や自動車の電動機あるいは発電機として適用されつつある。通常、永久磁石型の回転電機は、円筒状の固定子と、この固定子の内側に回転自在に支持された円柱形状の回転子と、を備えている。回転子は、回転子鉄心と、この回転子鉄心内に埋め込まれた複数の永久磁石と、を備えている。
このような永久磁石型の回転電機では、各磁極において、一対の永久磁石を内周面側から外周面側に向かって開くように対象に配置することにより、マグネットトルクに加えて、リラクタンストルクも利用できる磁気回路を形成することが提案されている。
【先行技術文献】
【特許文献】
【０００３】
【特許文献１】特開２０１４−７５８８２号公報
【特許文献２】特開２０１０−８０７９９号公報
【発明の概要】
【発明が解決しようとする課題】
【０００４】
移動体の駆動源として用いられる回転電機では、取り付けスペースが小さく、限られた空間の中で高トルク、高出力化することが要求される。更に、同じトルクであれば、より軽量であることが望まれている。  
この発明は以上の点に鑑みなされたもので、その課題は、回転子に生じる遠心応力に対し強度を保ちながら、軽量化が可能な永久磁石型の回転電機を提供することにある。
【課題を解決するための手段】
【０００５】
実施形態によれば、回転電機は、固定子鉄心および電機子巻線を有する固定子と、中心軸線の回りで回転自在なシャフトと、前記シャフトに同軸的に固定され、円周方向に並ぶ複数の磁極を有する回転子鉄心と、前記回転子鉄心に埋設され前記磁極ごとに配置された複数の永久磁石と、を有する回転子と、を備えている。前記回転子鉄心は、それぞれ前記中心軸線および前記磁極の中心を通り前記中心軸線に対して放射方向に延びる複数の磁極中心軸と、各磁極において、前記磁極中心軸の両側に設けられ、それぞれ前記永久磁石が装填された２つの埋め込み孔と、それぞれ隣合う前記磁極の間に設けられ、間隔を置いて前記埋め込み孔に対向する複数の空隙孔と、前記磁極中心軸上で、前記２つの埋め込み孔の間に規定された第１ブリッジ部と、前記磁極中心軸上で、隣り合う２つの空隙孔の間に規定された第２ブリッジ部と、を有している。前記各磁極において、前記２つの埋め込み孔および２つの永久磁石は、前記磁極中心軸に隣接する内周側端と前記回転子鉄心の外周面に隣接する外周側端とをそれぞれ有し、前記磁極中心軸に対して線対称に配置され、前記内周側端から外周側端に向かうに従って、前記磁極中心軸からの距離が徐々に広がるように配置されている。前記埋め込み孔の各々は、互いに平行に対向する外周側長辺および内周側長辺で規定され前記永久磁石が装填された磁石装填領域と、前記永久磁石の内周側端から前記磁極中心軸に向かって拡がる内周側空隙と、前記永久磁石の外周側端から前記外周面に向かって拡がる外周側空隙と、を含み、前記空隙孔の各々は、それぞれ隣り合う磁極に設けられた前記埋め込み孔の前記内周側長辺と間隔を置いて対向する第１辺および第２辺と、それぞれ隣り合う磁極の前記磁極中心軸と隙間を置いて対向する第３辺および第４辺と、により規定されている。  
前記各磁極において、前記磁極中心軸と電気的に直交する軸をｑ軸、前記磁極中心軸と、前記回転子鉄心の外周面と、前記埋め込み孔の外周側長辺上に延在し前記磁極中心軸および回転子鉄心の外周面と交差する第１仮想直線と、で囲まれた領域の面積をＡ１、前記磁極中心軸と、前記回転子鉄心の外周面と、前記埋め込み孔の内周側長辺上に延在し前記磁極中心軸および回転子鉄心の外周面と交差する第２仮想直線と、前記空隙孔の前記第１辺上に延在し前記磁極中心軸および前記ｑ軸と交差する第３仮想直線と、で囲まれた領域の面積をＡ２、前記第１ブリッジ部の半値幅をＷ１、前記第２ブリッジ部の半値幅をＷ２、とした場合、前記回転子鉄心は、Ｗ２／Ｗ１ ≦（Ａ１+Ａ２）／Ａ１  の関係を満たして形成されている。
【図面の簡単な説明】
【０００６】
【図１】図１は、実施形態に係る永久磁石型の回転電機の横断面図。
【図２】図２は、前記回転電機の回転子の一部を拡大して示す横断面図。
【発明を実施するための形態】
【０００７】
以下に、図面を参照しながら、種々の実施形態について説明する。なお、実施形態を通して共通の構成には同一の符号を付すものとし、重複する説明は省略する。また、各図は実施形態とその理解を促すための模式図であり、その形状や寸法、比などは実際の装置と異なる個所があるが、これらは以下の説明と公知の技術を参酌して適宜、設計変更することができる。
【０００８】
図１は、実施形態に係る永久磁石型の回転電機の横断面図、図２は、回転子の一部を拡大して示す横断面図である。  
図１に示すように、回転電機１０は、例えば、インナーロータ型の回転電機として構成され、図示しない固定枠に支持された環状あるいは円筒状の固定子１２と、固定子の内側に中心軸線Ｃの回りで回転自在に、かつ固定子１２と同軸的に支持された回転子１４と、を備えている。回転電機１０は、例えば、ハイブリッド自動車（ＨＥＶ）や電気自動車（ＥＶ）において、駆動モータあるいは発電機に好適に適用される。
【０００９】
固定子１２は、円筒状の固定子鉄心１６と固定子鉄心１６に巻き付けられた電機子巻線１８とを備えている。固定子鉄心１６は、磁性材、例えば、ケイ素鋼などの円環状の電磁鋼板を多数枚、同芯状に積層して構成されている。固定子鉄心１６の内周部には、複数のスロット２０が形成されている。複数のスロット２０は、円周方向に等間隔を置いて並んでいる。各スロット２０は、固定子鉄心１６の内周面に開口し、この内周面から放射方向に延出している。また、各スロット２０は、固定子鉄心１６の軸方向の全長に亘って延在している。複数のスロット２０を形成することにより、固定子鉄心１６の内周部は、回転子１４に面する複数（例えば、本実施形態では４８個）の固定子ティース２１を構成している。複数のスロット２０に電機子巻線１８が埋め込まれ、各固定子ティース２１に巻き付けられている。電機子巻線１８に電流を流すことにより、固定子１２（固定子ティース２１）に所定の鎖交磁束が形成される。
【００１０】
回転子１４は、両端が図示しない軸受により回転自在に支持された円柱形状のシャフト（回転軸）２２と、このシャフト２２の軸方向ほぼ中央部に固定された円筒形状の回転子鉄心２４と、回転子鉄心２４内に埋め込まれた複数の永久磁石２６と、を有している。回転子１４は、固定子１２の内側に僅かな隙間（エアギャップ）を置いて同軸的に配置されている。すなわち、回転子１４の外周面は、僅かな隙間をおいて、固定子１２の内周面に対向している。回転子鉄心２４は中心軸線Ｃと同軸的に形成された内孔２５を有している。シャフト２２は内孔２５に挿通および嵌合され、回転子鉄心２４と同軸的に延在している。回転子鉄心２４は、磁性材、例えば、ケイ素鋼などの円環状の電磁鋼板を多数枚、同芯状に積層した積層体として構成されている。
【００１１】
本実施形態において、回転子１４は、複数磁極、例えば、８磁極に設定されている。回転子鉄心２４において、中心軸線Ｃおよび各磁極の中心を通り、中心軸線Ｃに対して径方向あるいは放射方向に延びる軸をｄ軸、およびｄ軸に対して電気的、磁気的に９０°離間した軸をｑ軸と称する。ここでは、固定子１２によって形成される鎖交磁束の流れ易い方向をｑ軸と称する。ｄ軸およびｑ軸は、回転子鉄心２４の円周方向に交互に、かつ、所定の位相で設けられている。回転子鉄心２４の１磁極分とは、ｑ軸間の領域（１／８周の周角度領域）をいう。このため、回転子鉄心２４は、８極（磁極）に構成されている。１磁極のうちの周方向中央がｄ軸となる。
【００１２】
図１および図２に示すように、回転子鉄心２４には、１磁極ごとに、２つの永久磁石２６が埋設されている。回転子鉄心２４の円周方向において、各ｄ軸の両側に、永久磁石２６の形状に対応した形状の磁石埋め込み孔（以下、埋め込み孔と称する）３４が形成されている。２つの永久磁石２６は、それぞれ埋め込み孔３４内に装填および配置され、例えば、接着剤等により回転子鉄心２４に固定されている。
【００１３】
各埋め込み孔３４は、回転子鉄心２４を軸方向に貫通して延びている。埋め込み孔３４は、ほぼ矩形の断面形状を有し、それぞれｄ軸に対して傾斜している。回転子鉄心２４の中心軸線Ｃと直交する断面でみた場合、２つの埋め込み孔３４は、例えば、ほぼＶ字状に並んで配置されている。すなわち、２つの埋め込み孔３４の内周側の端はそれぞれｄ軸に隣接し、僅かな隙間をおいて互いに対向している。回転子鉄心２４において、２つの埋め込み孔３４の内周側端の間に、幅の狭い磁路狭隘部（第１ブリッジ部）３６が形成されている。２つの埋め込み孔３４の外周側の端は、回転子鉄心２４の円周方向に沿ってｄ軸から離間し、回転子鉄心２４の外周面の近傍およびｑ軸の近傍に位置している。これにより、埋め込み孔３４の外周側の端は、隣合う磁極の埋め込み孔３４の外周側端と、ｑ軸を挟んで対向している。回転子鉄心２４において、各埋め込み孔３４の外周側端と回転子鉄心２４の外周縁との間に幅の狭い磁路狭隘部（ブリッジ部）３８が形成されている。このように、２つの埋め込み孔３４は、内周側端から外周側端に向かうに従って、ｄ軸からの距離が徐々に広がるように配置されている。
【００１４】
図２に示すように、各永久磁石２６は、矩形状の断面形状を有し、互いに平行に対向する第１表面および第２表面（裏面）、および互いに対向する一対の側面を有している。  
各埋め込み孔３４は、永久磁石２６の断面形状に対応した矩形状の磁石装填領域３４ａと、この磁石装填領域３４ａの長手方向の両端から延出する２つの空隙（内周側空隙３４ｂおよび外周側空隙３４ｃ）と、更に、磁石装填領域３４ａの長手方向両端において埋め込み孔３４の内周側端面３５ａから埋め込み孔３４内に突出した一対の係止凸部３４ｄと、を有している。
【００１５】
磁石装填領域３４ａは、平坦な矩形状の内周側端面（内周側長辺）３５ａと、この内周側端面３５ａと隙間を置いて平行に対向する平坦な矩形状の外周側端面（外周側長辺）３５ｂとの間に規定されている。内周側空隙３４ｂは、第１内側面４４ａと、第２内側面４４ｂと、第３内側面４４ｃと、により規定されている。第１内側面４４ａは、磁石装填領域３４ａの外周側端面３５ｂの一端（ｄ軸側の端）からｄ軸に向かって延出している。第２内側面４４ｂは、磁石装填領域３４ａの内周側端面３５ａの一端（ｄ軸側の端、ここでは、係止凸部３４ｄ）から回転子鉄心２４の中心軸線Ｃに向かってｄ軸とほぼ平行に延出している。第３内側面４４ｃは、第１内側面４４ａの延出端と第２内側面４４ｂの延出端とに跨り、ｄ軸とほぼ平行に延在している。なお、第３内側面４４ｃの両端部は、円弧面を介して第１内側面４４ａおよび第２内側面４４ｂに繋がっている。２つの埋め込み孔３４の内周側空隙３４ｂは、第３内側面４４ｂ同志がｄ軸および第１ブリッジ部Ｂ１を挟んで互いに対向して配置されている。
【００１６】
外周側空隙３４ｃは、第１内側面４６ａと、第２内側面４６ｂと、第３内側面４６ｃと、により規定されている。第１内側面４６ａは、磁石装填領域３４ａの外周側端面３５ｂの他端（回転子鉄心外周面側の端）から回転子鉄心２４の外周面に向かって延出している。第２内側面４６ｂは、磁石装填領域３４ａの内周側端面３５ａの他端（回転子鉄心外周面側の端、ここでは、係止凸部３４ｄ）から回転子鉄心２４の外周面に向かって延出している。第３内側面４６ｃは、第１内側面４６ａの延出端と第２内側面４６ｂの延出端とに跨り、回転子鉄心２４の外周面に沿って延出している。第３内側面４６ｃと回転子鉄心２４の外周面との間に、ブリッジ部３８が規定されている。  
内周側空隙３４ｂおよび外周側空隙３４ｃは、永久磁石２６の長手方向両端部から回転子鉄心２４への磁束漏れを抑制するフラックスバリアとして機能するとともに、回転子鉄心２４の軽量化にも寄与する。
【００１７】
図２に示すように、永久磁石２６は、各埋め込み孔３４に装填され、回転子鉄心２４に埋め込まれている。永久磁石２６は、例えば、横断面が矩形状の細長い平板状に形成され、回転子鉄心２４の軸方向長さとほぼ等しい長さを有している。永久磁石２６は、軸方向（長手方向）に複数に分割された磁石を組み合わせて構成されてもよく、この場合、複数の磁石の合計の長さが回転子鉄心２４の軸方向長さとほぼ等しくなうように形成される。各永久磁石２６は回転子鉄心２４のほぼ全長に亘って埋め込まれている。永久磁石２６の磁化方向は、永久磁石２６の表面および裏面と直交する方向としている。
【００１８】
永久磁石２６は、埋め込み孔３４の磁石装填領域３４ａに装填され、第１表面が内周側端面３５ａに当接し、第２表面が外周側端面３５ｂに当接している。永久磁石２６は、一対の角部が係止凸部３４ｄにそれぞれ当接している。これにより、永久磁石２６は、磁石装填領域３４ａ内に位置決めされている。永久磁石２６は接着剤等により回転子鉄心２４に固定されてもよい。各ｄ軸の両側に位置する２つの永久磁石２６は、ほぼＶ字状に並んで配置されている。すなわち、２つの永久磁石２６は、内周側端から外周側端に向かうに従って、ｄ軸からの距離が徐々に広がるように配置されている。
【００１９】
各永久磁石２６は、第１表面および第２表面に垂直な方向に磁化されている。各ｄ軸の両側に位置する２つの永久磁石２６、すなわち、１磁極を構成する２つの永久磁石２６は、磁化方向が同一となるように配置されている。また、各ｑ軸の両側に位置する２つの永久磁石２６は、磁化方向が逆向きとなるように配置されている。複数の永久磁石２６を上記のように配置することにより、回転子鉄心２４の外周部において各ｄ軸上の領域は１つの磁極４０を中心に形成し、各ｑ軸上の領域は磁極間部４２を中心に形成している。本実施形態では、回転電機１０は、隣接する１磁極４０毎に永久磁石２６のＮ極とＳ極の表裏を交互に配置した、８極（４極対）、４８スロットで、単層分布巻で巻線した永久磁石埋め込み型の回転電機を構成している。
【００２０】
図２に示すように、回転子鉄心２４に複数の空隙孔（空洞部）３０が形成されている。空隙孔３０は、それぞれ回転子鉄心２４を軸方向に貫通して延びている。空隙孔３０は、それぞれｑ軸上で、回転子鉄心２４の径方向ほぼ中央に位置し、隣合う磁極の２つ埋め込み孔３４の間に設けられている。空隙孔３０は、多角形、例えば、ほぼ五角形の断面形状を有している。空隙孔３０の断面は、それぞれｑ軸から両側のｄ軸の近傍まで延びる第１辺３０ａおよび第２辺３０ｂと、第１辺のｄ軸側の端から中心軸線Ｃに向かってｄ軸とほぼ平行に延びる第３辺３０ｃと、第２辺のｄ軸側の端から中心軸線Ｃに向かってｄ軸とほぼ平行に延びる第４辺３０ｄと、第３辺３０ｃの端から第４辺３０ｄの端に亘って延在し、ｑ軸と交差し、内孔２５に隙間を置いて対向する第５辺３０ｅと、を有している。第１辺３０ａは、埋め込み孔３４の内周側端面３５ａと平行に延在し、かつ、所定の間隔を置いて対向している。第２辺３０ｂは、隣の磁極の埋め込み孔３４の内周側端面３５ａと平行に延在し、かつ、所定の間隔を置いて対向している。第１辺３０ａおよび第２辺３０ｂは、ｑ軸上で交わっている。
【００２１】
空隙孔３０の第３辺３０ｃは、隣の空隙孔３０の第４辺３０ｄとｄ軸を間に挟んで、互いに平行に対向している。そして、これら第３辺３０ｃと第４辺３０ｄとの間に第２ブリッジ部Ｂ２が規定されている。第２ブリッジ部Ｂ２は、ｄ軸に沿って、第１ブリッジ部Ｂ１と同軸的に並んでいる、つまり、第１ブリッジ部Ｂ１と整列している。第１ブリッジ部Ｂ１の幅（ｄ軸と直交する方向の幅）の半値幅（半分の幅）をＷ１、第２ブリッジ部Ｂ２の幅（ｄ軸と直交する方向の幅）の半値幅（半分の幅）をＷ２とした場合、第１および第２ブリッジ部Ｂ１、Ｂ２は、Ｗ１＜Ｗ２に形成されている。
【００２２】
各空隙孔３０は、磁束を通り難くするフラックスバリアとして機能し、固定子１２の鎖交磁束の流れや永久磁石２６の磁束の流れを規制する。また、複数の空隙孔３０を形成することにより、回転子鉄心２４の軽量化を図ることができる。回転子１４の軽量化を図る場合、空隙孔３０は、回転子１４に生じる遠心応力に対して、回転子１４の強度を保てる範囲で、最大限に大きく形成されていることが望ましい。そこで、本実施形態によれば、回転子鉄心２４は、以下に述べる関係を満たすように形成されている。
【００２３】
図２に示す回転子１４の横断面おいて、  
ｄ軸（磁極中心軸）と、回転子鉄心２４の外周面と、埋め込み孔３４の外周側長辺３５ｂ上に延在し磁極中心軸ｄおよび回転子鉄心の外周面と交差する第１仮想直線Ｌ１と、で囲まれた領域（斜線で網掛けされた領域）の面積をＡ１、  
ｄ軸と、ｑ軸と、回転子鉄心２４の外周面と、埋め込み孔３４の内周側長辺３５ａ上に延在しｄ軸および回転子鉄心２４の外周面と交差する第２仮想直線Ｌ２と、空隙孔３０の記第１辺３０ａ上に延在しｄ軸およびｑ軸と交差する第３仮想直線Ｌ３と、で囲まれた領域（図中、クロスハッチで覆われた領域）の面積をＡ２、  
第１ブリッジ部Ｂ１の半値幅をＷ１、  
第２ブリッジ部Ｂ２の半値幅をＷ２、とした場合、  
回転子鉄心２４は、  
Ｗ２／Ｗ１ ≦ （Ａ１+Ａ２）／Ａ１  
の関係を満たして形成されている。
【００２４】
上記関係を満たすように回転子鉄心２４を構成することにより、すなわち、回転子１４の磁気回路として機能していない部分を除去することにより、遠心応力に対する回転子１４の強度を保ちながら、空隙孔３０を最大限大きくすることができる。空隙孔３０を大きくすることにより、回転子１４を軽量化し、回転電機全体を軽量化することが可能となる。  
以上のように、本実施形態によれば、回転子の強度を保ちながら、軽量化が可能な永久磁石型の回転電機が得られる。
【００２５】
なお、この発明は上述した実施形態そのままに限定されるものではなく、実施段階ではその要旨を逸脱しない範囲で構成要素を変形して具体化可能である。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、回転子の磁極数、寸法、形状等は、前述した実施形態に限定されることなく、設計に応じて種々変更可能である。内周側空隙、外周側空隙、および空隙孔の断面形状は、実施形態の形状に限定されることなく、種々の形状を選択可能である。空隙孔は、五角形に限定されることなく、他の多角形状としてもよい。なお、多角形とは、角が屈曲に限らず、湾曲している形状、および各辺が直線状に限らず、一部あるいは全部が湾曲した辺を有する形状を含むものとしている。
【符号の説明】
【００２６】
１０…回転電機、１２…固定子、１４…回転子、１６…固定子鉄心、
１８…電機子巻線、２０…スロット、２２…回転軸、２４…回転子鉄心、
２６…永久磁石、３０…空隙孔、３４…埋め込み孔、３４ａ…磁石装填領域、
３４ｂ…内周側空隙、３４ｃ…外周側空隙
【図１】
2019165593.tif 000003
【図２】
2019165593.tif 000004